【手続補正書】
【提出日】平成19年6月7日(2007.6.7)
【手続補正１】
【補正対象書類名】特許請求の範囲
【補正対象項目名】全文
【補正方法】変更
【補正の内容】
【特許請求の範囲】
【請求項１】
番組を送信する複数の送信元についての各チャンネルの中から、チャンネル切替候補を選抜する情報処理装置において、
第１の基準に従って、前記各チャンネルのうちの１以上のチャンネルを前記チャンネル切替候補の一次候補としてそれぞれ順番をつけて一次選抜し、第２の基準に従って、１以上の前記一次候補のうちの１以上のチャンネルを二次候補として二次選抜し、１以上の前記一次候補のうちの１以上の前記二次候補を少なくとも含む１以上の各チャンネルの送信内容を特定する各特定情報が、前記順番に従って配置されているチャンネルリストを生成するチャンネルリスト生成手段と、
前記チャンネルリストをユーザに呈示することを制御する呈示制御手段と、
前記呈示制御手段の制御により呈示された前記チャンネルリストから選択チャンネルを選択する選択操作が前記ユーザによりなされた場合、前記選択チャンネルが前記二次候補であるときには前記選択チャンネルを前記チャンネル切替候補の最終候補として決定し、
前記選択チャンネルが前記二次候補以外であるときには、前記チャンネルリストに含まれる別の二次候補を前記最終候補として決定する最終候補選抜手段と
を備える情報処理装置。
【請求項２】
複数の前記送信元のそれぞれは、さらに、CM（Commercial Message）も送信し、
前記第２の基準は、前記CMが送信中であるチャンネルは、前記二次候補から除外するという基準である
請求項１に記載の情報処理装置。
【請求項３】
複数の前記送信元のそれぞれから送信中または送信予定の前記番組の中から、前記ユーザに推薦すべき推薦番組を選出する推薦番組選出手段をさらに備え、
前記第１の基準は、前記推薦番組選出手段により選出された前記推薦番組を送信する送信元についてのチャンネルは、前記一次候補に含めるという基準である
請求項１に記載の情報処理装置。
【請求項４】
前記チャンネルリスト生成手段は、さらに、前記最終候補を指し示すカーソルを生成し、
前記最終候補選抜手段は、前記選択操作が前記ユーザによりなされた場合、前記選択チャンネルが前記二次候補であるときには、前記選択チャンネルの特定情報を指し示す位置を前記カーソルの配置位置として決定し、前記選択チャンネルが前記二次候補以外であるときには、前記チャンネルリストに含まれる別の二次候補の特定情報を指し示す位置を前記カーソルの配置位置として決定し、
前記呈示制御手段は、さらに、前記チャンネルリスト生成手段により生成された前記カーソルを、前記チャンネルリストのうちの、前記最終候補選抜手段により決定された前記配置位置に配置させることで、前記カーソルが指し示すチャンネルを前記最終候補として前記ユーザに呈示する制御を行う
請求項１に記載の情報処理装置。
【請求項５】
前記選択操作は、前記カーソルの現在の配置位置のひとつ上または下の配置位置に対応する特定情報で特定されるチャンネルを、前記選択チャンネルとして指示する操作であり、
前記最終候補選抜手段は、前記選択操作が前記ユーザによりなされた場合、前記選択チャンネルが前記二次候補であるときには、前記カーソルの現在の配置位置のひとつ上または下の配置位置を、前記カーソルの配置位置として決定し、前記選択チャンネルが前記二次候補以外であるときには、前記チャンネルリストにおいて前記選択チャンネルから上または下方向に最も近い位置に配置されている前記別の二次候補の特定情報を指し示す位置を、前記カーソルの配置位置として決定する
請求項４に記載の情報処理装置。
【請求項６】
前記ユーザの視聴対象の視聴チャンネルを、前記呈示制御手段の制御により前記ユーザに呈示されている前記最終候補に切替えることを決定する決定操作が、前記ユーザによりなされたとき、その時点で前記カーソルが指し示している特定情報で特定される前記最終候補を、前記視聴チャンネルとして決定する視聴チャンネル決定手段をさらに備える
請求項４に記載の情報処理装置。
【請求項７】
複数の前記送信元のそれぞれは、さらに、CM（Commercial Message）も送信し、
前記各チャンネルのそれぞれについて、前記CMが送信中であるか否かを検出するCM検出手段をさらに備え、
前記CM検出手段により前記CMが送信中であると検出されたチャンネルが前記視聴チャンネルとされている状態で、前記選択操作を開始するための開始操作が前記ユーザによりなされたとき、前記呈示制御手段は、前記チャンネルリストおよび前記カーソルの前記ユーザへの呈示を開始することを制御し、
その後、前記決定操作が前記ユーザによりなされることなく、前記開始操作時点での前記視聴チャンネルについての前記CMの送信が終了したことが前記CM検出手段により検出されたとき、前記呈示制御手段は、前記チャンネルリストおよび前記カーソルの前記ユーザへの呈示を終了することを制御し、前記視聴チャンネル決定手段は、前記開始操作がなされた時点で前記視聴チャンネルであったチャンネルを再度、前記視聴チャンネルとして決定する
請求項６に記載の情報処理装置。
【請求項８】
番組を送信する複数の送信元についての各チャンネルの中から、ユーザが視聴対象とするチャンネル切替候補を選抜する情報処理装置の情報処理方法において、
第１の基準に従って、前記各チャンネルのうちの１以上のチャンネルを前記チャンネル切替候補の一次候補としてそれぞれ順番をつけて一次選抜し、第２の基準に従って、１以上の前記一次候補のうちの１以上のチャンネルを二次候補として二次選抜し、１以上の前記一次候補のうちの１以上の前記二次候補を少なくとも含む１以上の各チャンネルの送信内容を特定する各特定情報が、前記順番に従って配置されているチャンネルリストを生成し、
前記チャンネルリストをユーザに呈示することを制御し、
前記チャンネルリストから選択チャンネルを選択する選択操作が前記ユーザによりなされた場合、前記選択チャンネルが前記二次候補であるときには前記選択チャンネルを前記チャンネル切替候補の最終候補として決定し、前記選択チャンネルが前記二次候補以外であるときには、前記チャンネルリストに含まれる別の二次候補を前記最終候補として決定する
ステップを含む情報処理方法。
【請求項９】
番組を送信する複数の送信元についての各チャンネルの中から、ユーザが視聴対象とするチャンネル切替候補を選抜する処理を制御するコンピュータに実行させるプログラムであって、
第１の基準に従って、前記各チャンネルのうちの１以上のチャンネルを前記チャンネル切替候補の一次候補としてそれぞれ順番をつけて一次選抜し、第２の基準に従って、１以上の前記一次候補のうちの１以上のチャンネルを二次候補として二次選抜し、１以上の前記一次候補のうちの１以上の前記二次候補を少なくとも含む１以上の各チャンネルを前記順番に従って配置させたリストを、チャンネルリストとして生成し、
前記チャンネルリストをユーザに呈示することを制御し、
前記チャンネルリストから選択チャンネルを選択する選択操作が前記ユーザによりなされた場合、前記選択チャンネルが前記二次候補であるときには前記選択チャンネルを前記チャンネル切替候補の最終候補として決定し、前記選択チャンネルが前記二次候補以外であるときには、前記チャンネルリストに含まれる別の二次候補を前記最終候補として決定する
ステップを含むプログラム。
【手続補正２】
【補正対象書類名】明細書
【補正対象項目名】０００６
【補正方法】変更
【補正の内容】
【０００６】
複数の前記送信元のそれぞれは、さらに、CM（Commercial Message）も送信し、前記第２の基準は、前記CMが送信中であるチャンネルは、前記二次候補から除外するという基準であることができる。
【手続補正３】
【補正対象書類名】明細書
【補正対象項目名】００１０
【補正方法】変更
【補正の内容】
【００１０】
前記ユーザの視聴対象の視聴チャンネルを、前記呈示制御手段の制御により前記ユーザに呈示されている前記最終候補に切替えることを決定する決定操作が、前記ユーザによりなされたとき、その時点で前記カーソルが指し示している特定情報で特定される前記最終候補を、前記視聴チャンネルとして決定する視聴チャンネル決定手段をさらに備えることができる。
複数の前記送信元のそれぞれは、さらに、CM（Commercial Message）も送信し、前記各チャンネルのそれぞれについて、前記CMが送信中であるか否かを検出するCM検出手段をさらに備え、前記CM検出手段により前記CMが送信中であると検出されたチャンネルが前記視聴チャンネルとされている状態で、前記選択操作を開始するための開始操作が前記ユーザによりなされたとき、前記呈示制御手段は、前記チャンネルリストおよび前記カーソルの前記ユーザへの呈示を開始することを制御し、その後、前記決定操作が前記ユーザによりなされることなく、前記開始操作時点での前記視聴チャンネルについての前記CMの送信が終了したことが前記CM検出手段により検出されたとき、前記呈示制御手段は、前記チャンネルリストおよび前記カーソルの前記ユーザへの呈示を終了することを制御し、前記視聴チャンネル決定手段は、前記開始操作がなされた時点で前記視聴チャンネルであったチャンネルを再度、前記視聴チャンネルとして決定することができる。
【手続補正４】
【補正対象書類名】明細書
【補正対象項目名】００１１
【補正方法】変更
【補正の内容】
【００１１】
本発明の一側面の情報処理方法は、番組を送信する複数の送信元についての各チャンネルの中から、ユーザが視聴対象とするチャンネル切替候補を選抜する情報処理装置の情報処理方法であって、第１の基準に従って、前記各チャンネルのうちの１以上のチャンネルを前記チャンネル切替候補の一次候補としてそれぞれ順番をつけて一次選抜し、第２の基準に従って、１以上の前記一次候補のうちの１以上のチャンネルを二次候補として二次選抜し、１以上の前記一次候補のうちの１以上の前記二次候補を少なくとも含む１以上の各チャンネルの送信内容を特定する各特定情報が、前記順番に従って配置されているチャンネルリストを生成し、前記チャンネルリストをユーザに呈示することを制御し、前記チャンネルリストから選択チャンネルを選択する選択操作が前記ユーザによりなされた場合、前記選択チャンネルが前記二次候補であるときには前記選択チャンネルを前記チャンネル切替候補の最終候補として決定し、前記選択チャンネルが前記二次候補以外であるときには、前記チャンネルリストに含まれる別の二次候補を前記最終候補として決定するステップを含む。
【手続補正５】
【補正対象書類名】明細書
【補正対象項目名】００２１
【補正方法】変更
【補正の内容】
【００２１】
前記ユーザの視聴対象の視聴チャンネル（例えば、図７乃至図９のメイン画面に表示されるチャンネル）を、前記呈示制御手段の制御により前記ユーザに呈示されている前記最終候補に切替えることを決定する決定操作（例えば、図２のザッピングボタン３２の押下操作によりザッピングモードが開始された後における、ザッピングボタン３２の再度の押下操作）が、前記ユーザによりなされたとき、その時点で前記カーソルが指し示している特定情報で特定される前記最終候補を、前記視聴チャンネルとして決定する視聴チャンネル決定手段（例えば図３のメイン画面表示チャンネル選出部７２）をさらに備える。
【手続補正６】
【補正対象書類名】明細書
【補正対象項目名】００２２
【補正方法】変更
【補正の内容】
【００２２】
複数の前記送信元のそれぞれは、さらに、CM（Commercial Message）も送信し、
前記各チャンネルのそれぞれについて、前記CMが送信中であるか否かを検出するCM検出手段（例えば図３のCM検出部７９）をさらに備え、
前記CM検出手段により前記CMが送信中であると検出されたチャンネルが前記視聴チャンネルとされている状態で、前記選択操作を開始するための開始操作が前記ユーザによりなされたとき、前記呈示制御手段は、前記チャンネルリストおよび前記カーソルの前記ユーザへの呈示を開始することを制御し、
その後、前記決定操作が前記ユーザによりなされることなく、前記開始操作時点での前
記視聴チャンネルについての前記CMの送信が終了したことが前記CM検出手段により検出されたとき、前記呈示制御手段は、前記チャンネルリストおよび前記カーソルの前記ユーザへの呈示を終了することを制御し、前記視聴チャンネル決定手段は、前記開始操作がなされた時点で前記視聴チャンネルであったチャンネルを再度、前記視聴チャンネルとして決定する（例えば図１０のCM中ザッピングモード処理を実行する）。
【手続補正７】
【補正対象書類名】明細書
【補正対象項目名】００２３
【補正方法】変更
【補正の内容】
【００２３】
本発明の一側面の情報処理方法（例えば図４のザッピングモード処理）は、
番組を送信する複数の送信元についての各チャンネルの中から、ユーザが視聴対象とするチャンネル切替候補を選抜する情報処理装置の情報処理方法において、
第１の基準に従って、前記各チャンネルのうちの１以上のチャンネルを前記チャンネル切替候補の一次候補としてそれぞれ順番をつけて一次選抜し、第２の基準に従って、１以上の前記一次候補のうちの１以上のチャンネルを二次候補として二次選抜し、１以上の前記一次候補のうちの１以上の前記二次候補を少なくとも含む１以上の各チャンネルの送信内容を特定する各特定情報が、前記順番に従って配置されているチャンネルリストを生成し、
前記チャンネルリストをユーザに呈示することを制御し（例えば、図５のステップＳ２１乃至Ｓ２５の処理や、図１０のステップＳ５１乃至Ｓ５５の処理）、
前記チャンネルリストから選択チャンネルを選択する選択操作が前記ユーザによりなされた場合（例えば、図６のステップＳ２６でＹＥＳであると判定された場合や、図１１のステップＳ５６でＹＥＳであると判定された場合）、前記選択チャンネルが前記二次候補であるとき（例えば、図６のステップＳ２８でＮＯであると判定されたときや、図１１のステップＳ５８でＮＯであると判定されたとき）には前記選択チャンネルを前記チャンネル切替候補の最終候補として決定し（例えば、図６のステップＳ３０や、図１１のステップＳ６０の処理を実行する）、前記選択チャンネルが前記二次候補以外であるとき（例えば、図６のステップＳ２８でＹＥＳであると判定されたときや、図１１のステップＳ５８でＹＥＳであると判定されたとき）には、前記チャンネルリストに含まれる別の二次候補を前記最終候補として決定する（例えば、図６のステップＳ２８とＳ２９のループ処理を繰り返した後ステップＳ３０を実行したり、図１１のステップＳ５８とＳ５９のループ処理を繰り返した後ステップＳ６０の処理を実行する）
ステップを含む。
【手続補正８】
【補正対象書類名】明細書
【補正対象項目名】００３６
【補正方法】変更
【補正の内容】
【００３６】
スイッチ８は、CPU６の制御に基づいて、自身に提供されてくる映像信号（チューナ５−１乃至５−Ｎの出力、入力端子９ａ，９ｂ，９ｃの出力、並びに、コンテンツ取得部２８の出力）の中から、ｎ系統（nは、１以上の整数値）の映像信号を選択し、即ち、ｎ個の子画面用の映像信号を選択して、デコーダ２１−１乃至２１−ｎのそれぞれに提供する。
【手続補正９】
【補正対象書類名】明細書
【補正対象項目名】００５１
【補正方法】変更
【補正の内容】
【００５１】
なお、以下、図２の記述にあわせて、ボタン３１を＋ボタン３１と、ボタン３２をザッピングボタン３２と、ボタン３３を−ボタン３３と、それぞれ称する。即ち、図２の例のリモートコントローラ４では、＋ボタン３１と−ボタン３３との間に、ザッピングボタン３２が配置されている。＋ボタン３１と−ボタン３３とには、チャンネル切り替え機能が割り当てられており、ザッピングボタン３２には、ザッピングの開始または終了を指示する機能が割り当てられている。
【手続補正１０】
【補正対象書類名】明細書
【補正対象項目名】００５３
【補正方法】変更
【補正の内容】
【００５３】
即ち、テレビジョン受像機１は、機能ブロックとして、例えばボタン操作検出部７１乃至推薦番組選出部７７を少なくとも有しており、ザッピングモード処理を実行する場合には、これらのボタン操作検出部７１乃至推薦番組選出部７７を機能させる。ただし、ボタン操作検出部７１乃至推薦番組選出部７７の各機能の詳細については、図４乃至図１１を用いて後述するザッピングモード処理例のうちの、対応するステップの処理を説明する際に併せて説明する。
【手続補正１１】
【補正対象書類名】明細書
【補正対象項目名】００６８
【補正方法】変更
【補正の内容】
【００６８】
これに対して、メイン画面映像がCM映像の場合には、ステップＳ３においてYESであると判定されて、処理はステップＳ５に進む。そして、ステップＳ５において、CM中ザッピングモード処理が実行される。ただし、CM中ザッピングモード処理の詳細については、図１０と図１１のフローチャートを参照して後述する。
【手続補正１２】
【補正対象書類名】明細書
【補正対象項目名】００７２
【補正方法】変更
【補正の内容】
【００７２】
例えば、上述した説明では映像信号についてのみ言及したが、一般的な番組は映像のみならず音声を含んでおり、複数チャンネル受信部７４は、各チャンネルの映像信号のみならず、音声信号も受信することができる。また、CMの音声モードは音声多重モードであることが多く、番組の音声モードはステレオモードであることが多いという特徴がある。そこで、CM検出部７９は、音声多重モード区間をCM中区間と検出することができる。即ち、CM検出部７９は、そのCM中区間に複数チャンネル受信部７４に受信された映像信号に対応する映像を、CM映像であると検出することができる。かかるCM検出手法の詳細については、例えば特許第２８５８７５８号明細書に開示されている。
【手続補正１３】
【補正対象書類名】明細書
【補正対象項目名】０１２２
【補正方法】変更
【補正の内容】
【０１２２】
ユーザの視点からすると、ユーザは、リモートコントローラ４の＋ボタン３１または−ボタン３３を押下するだけで、チャンネル切替候補を、チャンネルリストの配置順に順次変更させていくことができる。その際、CM送信中であるチャンネルは、チャンネル切替候補から自動的に除外される。
【手続補正１４】
【補正対象書類名】明細書
【補正対象項目名】０１２５
【補正方法】変更
【補正の内容】
【０１２５】
このように、ユーザは、リモートコントローラ４の＋ボタン３１乃至−ボタン３３の押下操作を行うだけで、ザッピングのためのチャンネル切替操作ができるようになる。さらにそのチャンネルの切替操作の際には、CM中のチャンネルは自動的に飛ばされることになる。即ち、CM中のチャンネルは、チャンネルの切り替え対象（切替候補）から自動的に除外されることになる。
【手続補正１５】
【補正対象書類名】明細書
【補正対象項目名】０１３８
【補正方法】変更
【補正の内容】
【０１３８】
この場合、CMが継続されている限り、通常のザッピングモード処理と同様に、ユーザは、リモートコントローラ４の＋ボタン３１乃至−ボタン３３の押下操作を行うだけで、ザッピングのためのチャンネル切替操作ができるようになる。さらにそのチャンネル切替操作の際には、CM中のチャンネルは自動的に飛ばされることになる。即ち、CM中のチャンネルは、チャンネルの切り替え対象（切替候補）から自動的に除外されることになる。
【手続補正１６】
【補正対象書類名】明細書
【補正対象項目名】０１３９
【補正方法】変更
【補正の内容】
【０１３９】
その後、ユーザが意図的にザッピングボタン３２を押下してザッピングモードを終了させない限り、元々メイン画面で見ていたチャンネルのCMが終了すると、メイン画面のチャンネルは、その元のチャンネルに自動的に切り替わる。即ち、CM終了前に、ユーザが意図的にザッピングボタン３２を押下すると、メイン画面のチャンネルは、その時点でのチャンネル切替候補（最終候補）、即ち、その時点でカーソル１６１が配置されていた子画面の映像のチャンネルに切り替わる。
【手続補正１７】
【補正対象書類名】明細書
【補正対象項目名】０１４６
【補正方法】変更
【補正の内容】
【０１４６】
即ち、このような場合にも対応できるように、図１１のステップＳ６４やＳ６６には、「メイン画面を担当していた元のチャンネル」というように「元の」という語句が挿入されているのである。
【手続補正１８】
【補正対象書類名】明細書
【補正対象項目名】０１４７
【補正方法】変更
【補正の内容】
【０１４７】
さらにこの場合、CM中ザッピングモード処理において、ザッピングモード開始時にメイン画面を担当していたチャンネル（元々メイン画面映像であったチャンネル）のCMが終了したとき、上述した例（図１１のステップＳ６６の処理例）のように自動的に元のチャンネルに切り替えるのではなく、元のチャンネルに戻ることを促すメッセージ（ダイアログ）を表示させるようにしてもよい。
【手続補正１９】
【補正対象書類名】明細書
【補正対象項目名】０１４９
【補正方法】変更
【補正の内容】
【０１４９】
さらにまた、チャンネルリストにおけるチャンネル切替候補（その特定情報）の並び順は、上述した例では番組の推薦度の高い順とされたが、上述した例に限定されず、任意の基準に従った順番でよい。また、チャンネル切替候補から除外するチャンネルの選択基準は、上述した例ではCM中のチャンネルとされたが、上述した例に限定されず、任意の選択基準を採用することができる。
【手続補正２０】
【補正対象書類名】明細書
【補正対象項目名】０１５９
【補正方法】変更
【補正の内容】
【０１５９】
このようなプログラムを含む記録媒体は、図１２に示されるように、装置本体とは別に、ユーザにプログラムを提供するために配布される、プログラムが記録されている磁気ディスク（フロッピディスクを含む）、光ディスク（CD-ROM(Compact Disk-Read Only Memo
ry),DVD(Digital Versatile Disk)を含む）、光磁気ディスク（ＭＤ（Mini-Disk）を含む）、もしくは半導体メモリなどよりなるリムーバブルメディア（パッケージメディア）２１１により構成されるだけでなく、装置本体に予め組み込まれた状態でユーザに提供される、プログラムが記録されているROM２０２や、記憶部２０８に含まれるハードディスクなどで構成される。